(57)【要約】【課題】簡易な構成で、複数のスイッチ接点が同時に動作されることを防止することができる。【解決手段】スイッチ装置１は、枠体４１と、枠体４１に揺動可能に支持されるノブホルダ２１と、押込み操作に基づきノブホルダ２１に対して押込み方向にスライド移動可能とされたノブ３１とを具備する。ノブ３１の押込み操作に応じてスイッチ接点５４が押圧され、ノブ３１の揺動操作に伴いノブホルダ２１が揺動されることに応じてスイッチ接点５３を押圧する。スイッチ装置１は、ノブ３１に設けられた突条部３５と、枠体４１に設けられ、突条部３５の押込み方向の移動をガイドするガイド溝４４ｂと、ガイド部４４のガイド開始部位側に、ノブホルダ２１の揺動時に突条部３５を係止して、突条部３５のガイド部４４に対する押込み方向の移動を阻止する、ガイドリブ４４ｃの上面の係止面４４ａと備えるガイド機構Ｇ１を備えている。【選択図】  図５
2004179047.tif 000002
【特許請求の範囲】
【請求項１】
基部と、該基部に揺動可能に支持されるノブホルダと、押込み操作に基づき、前記ノブホルダに対して押込み方向にスライド移動可能とされたノブとを具備し、前記ノブの押込み操作に応じて第１スイッチ接点が押圧され、前記ノブの揺動操作に伴い前記ノブホルダが揺動されることに応じて第２スイッチ接点を押圧する構成とされたスイッチ装置において、
前記ノブが押込み方向に移動するときは該ノブを押込み方向にガイドするとともに前記ノブホルダの揺動を阻止し、前記ノブホルダが揺動するときは前記ノブの押込み方向の移動を阻止するガイド機構を備えることを特徴とするスイッチ装置。
【請求項２】
前記ガイド機構は、
前記ノブに設けられた被ガイド部と、
前記基部に設けられ、前記被ガイド部の押込み方向の移動をガイドするガイド部と、
前記ガイド部のガイド開始部位側に、前記ノブホルダの揺動時に被ガイド部を係止して、前記被ガイド部のガイド部に対する押込み方向の移動を阻止する係止部と備えることを特徴とする請求項１に記載のスイッチ装置。
【請求項３】
前記係止部は、前記ノブホルダの揺動にともなう前記被ガイド部の、前記ガイド部側の部位の移動軌跡に対応して形成されていることを特徴とする請求項２に記載のスイッチ装置。
【請求項４】
前記ガイド部はガイド溝を含み、被ガイド部は突条部であり、
前記ノブは、前記ノブホルダに設けられた摺動溝に前記突条部がガイドされて、前記ノブホルダに対してスライド移動可能とされていることを特徴とする請求項２又は請求項３に記載のスイッチ装置。
【請求項５】
前記ガイド機構は複数設けられていることを特徴とする請求項１乃至請求項４のうちいずれか１項に記載のスイッチ装置。
【発明の詳細な説明】
【０００１】
【発明の属する技術分野】
本発明は、揺動可能なノブを揺動又は押圧することで、揺動又は押圧された方向に応じてそれぞれ別のスイッチ接点がオンオフするスイッチ装置に関するものである。
【０００２】
【従来の技術】
従来、揺動部材を揺動自在に支持するとともに、押圧自在に設け、同揺動部材の揺動した方向又は押圧した方向に応じて、それぞれ別のスイッチ接点がオンオフする多方向押圧型スイッチとして、種々のものが提案され使用されている。
【０００３】
このような多方向押圧型スイッチとして、特許文献１に記載の技術が提案されている。
この技術では、スイッチ作動部材を揺動自在に設け、同スイッチ作動部材に対して、揺動部材を押圧可能にスライド自在に配置している。そして、揺動部材を揺動した際には、スイッチ作動部材がともに揺動して同スイッチ作動部材に対向するスイッチ接点をオン作動する。また、揺動部材を押圧すると、スイッチ作動部材に対してスライド移動して、揺動部材に対向するスイッチ接点をオン作動するようにしている。
【０００４】
【特許文献１】
特開２００１―１８５００１号公報（「００１０」、第１図）
【０００５】
【発明が解決しようとする課題】
しかしながら、上記従来の構成であると、揺動部材が揺動することで、スイッチ作動部材に対向するスイッチ接点がオンされると同時に、押圧方向にも押圧されてしまい揺動部材に対向するスイッチ接点がオンされてしまう虞がある。そうすると、複数の接点スイッチがオンされてしまい、目的の接点スイッチのみをオン作動できない問題がある。
【０００６】
本発明は、上記課題に鑑みなされたものであり、簡易な構成で、複数のスイッチ接点が同時に動作されることを防止することができるスイッチ装置を提供することを目的とする。
【０００７】
【課題を解決するための手段】
上記の目的を達成するため、請求項１に記載の発明は、基部と、該基部に揺動可能に支持されるノブホルダと、押込み操作に基づき、前記ノブホルダに対して押込み方向にスライド移動可能とされたノブとを具備し、前記ノブの押込み操作に応じて第１スイッチ接点が押圧され、前記ノブの揺動操作に伴い前記ノブホルダが揺動されることに応じて第２スイッチ接点を押圧する構成とされたスイッチ装置において、前記ノブが押込み方向に移動するときは該ノブを押込み方向にガイドするとともに前記ノブホルダの揺動を阻止し、前記ノブホルダが揺動するときは前記ノブの押込み方向の移動を阻止するガイド機構を備えることを特徴とする。
【０００８】
また、請求項２に記載の発明は、請求項１において、前記ガイド機構は、前記ノブに設けられた被ガイド部と、前記基部に設けられ、前記被ガイド部の押込み方向の移動をガイドするガイド部と、前記ガイド部のガイド開始部位側に、前記ノブホルダの揺動時に被ガイド部を係止して、前記被ガイド部のガイド部に対する押込み方向の移動を阻止する係止部と備えることを特徴とする。
【０００９】
更には、請求項３に記載の発明は、請求項２において、前記係止部は、前記ノブホルダの揺動にともなう前記被ガイド部の、前記ガイド部側部位の移動軌跡に対応して形成されていることを特徴とする。
【００１０】
また、請求項４に記載の発明は、請求項２又は請求項３において、前記ガイド部はガイド溝を含み、被ガイド部は突条部であり、前記ノブは、前記ノブホルダに設けられた摺動溝に前記突条部がガイドされて、前記ノブホルダに対してスライド移動可能とされていることを特徴とする。
【００１１】
更には、請求項５に記載の発明は、請求項１乃至請求項４のうちいずれか１項において、前記ガイド機構は複数設けられていることを特徴とする。
【００１２】
【発明の実施の形態】
（第１実施形態）
以下、本発明をスイッチ装置に具体化した第１実施形態を、図１乃至図７を参照して説明する。図１は、本実施形態におけるスイッチ装置１の分解斜視図である。また、図２はガイド部４４の要部斜視図である。そして、図３はスイッチ装置１の平面図であり、図４は図３のＡ−Ａ断面図、図５は図３のＢ−Ｂ断面図である。そして、図６及び図７は、スイッチ装置１の作用を説明する図３のＢ―Ｂ断面図である。
【００１３】
なお、以下の説明において、特に断らない限り、「上」、「下」、「左」、「右」は、図４の紙面中における「上」、「下」、「左」、「右」を示すものとし、「前」、「後」は、図４における紙面に直交する手前側を「前」、奥側を「後」とする。
【００１４】
図１に示すように、本実施形態におけるスイッチ装置１は、ノブホルダ２１と、ノブ３１と、基部である枠体４１とを備えて構成されている。
そして、このスイッチ装置１の上方はカバー１１で覆われている。前記カバー１１、ノブホルダ２１、ノブ３１、及び枠体４１は、合成樹脂により形成されている。
【００１５】
スイッチ装置１の下方には、配線基板５２が配設されている。
前記配線基板５２上には、所定位置にゴム接点からなる一対のスイッチ接点５３と、ゴム接点からなるスイッチ接点５４が固定されている。スイッチ接点５３は、第２スイッチ接点に相当し、スイッチ接点５４は、第１スイッチ接点に相当する。
【００１６】
スイッチ接点５４は、２等辺三角形の頂角の位置に位置し、他のスイッチ接点５３は、２等辺三角形の底辺において両端角部の位置に位置するように配置されている。
【００１７】
スイッチ接点５３は、図４に示すように、環状の薄肉部５３ａと、同薄肉部５３ａに支持される円柱状の可動部５３ｂとを備えて構成されている。この薄肉部５３ａは弾性を有するように形成されている。
【００１８】
そして、それぞれのスイッチ接点５３の可動部５３ｂ上面に、プッシャ５５の円盤状の固定部が固着されている。このプッシャ５５は、略円柱形状をしており、上端が半球状とされている。
【００１９】
また、図５に示すように、可動部５３ｂの下部には、可動接点５３ｃが固着されている。そして、該可動接点５３ｃの下方において、配線基板５２上には、固定接点５４ｄが配置されている。
【００２０】
従って、スイッチ接点５３が押圧されておらず、可動部５３ｂが配線基板５２に対して離間した状態においては、可動接点５３ｃと固定接点５３ｄとの間にはギャップが形成される。そして、薄肉部５３ａの弾性力に抗して、スイッチ接点５３が押圧されると可動部５３ｂが固定接点５３ｄに接触してスイッチング作動するように構成されている。
【００２１】
スイッチ接点５４は、スイッチ接点５３と同一構成であるため、重複説明を省略する。その代わりに、スイッチ接点５３と同一構成であるスイッチ接点５４の各構成に対しては、スイッチ接点５３を構成する各構成に付したアルファベットの符号を付す。
【００２２】
枠体４１は、図１に示すように、四角枠状に形成されている。
そして、図４に示すように、この枠体４１において、左右両側壁の略中央部の上面に、それぞれ軸受孔４２ａを有する支持部４２が上方に突出されている。
【００２３】
また、枠体４１において、前後側壁の略中央部に、それぞれ上下方向に貫通する嵌合孔４３ａを備えた筒状部４３が設けられている。各筒状部４３の嵌合孔４３ａに、各プッシャ５５を上下方向に嵌入することにより、枠体４１はスイッチ接点５３にて支持されている。また、プッシャ５５の上部は、筒状部４３の上部から上方へ突出されている。
【００２４】
また、枠体４１において、左右両側壁の内側面の略中央部に、それぞれガイド部４４が設けられている。このガイド部４４は、枠体４１の左右両側壁の内側面において、上下方向に設けられ、前後に互いに平行に並設された一対のガイドリブ４４ｃを備えている。両ガイドリブ４４ｃ間には図２に示すように、上下方向にガイド溝４４ｂが形成されている。
【００２５】
ガイド部４４の上面は、係止面４４ａとされており、前後方向において湾曲形状に形成されている。なお、湾曲形状は、後記するノブホルダ２１が揺動するときに、ノブホルダ２１の揺動にともない移動するノブ３１における突条部３５下面の移動軌跡に対応して形成されている。係止面４４ａは、ガイド部のガイド開始部位側に位置する係止部に相当する。
【００２６】
ノブホルダ２１は、図１に示すように、略矩形筒状をなす筒状体に形成され、図４に示すように、ノブホルダ２１の左右両側壁の外側面に、それぞれ軸部２２が突出されている。そして、ノブホルダ２１は、前記軸部２２が支持部４２の軸受孔４２ａに対して挿入されることにより、揺動自在に支持されている。
【００２７】
ノブホルダ２１には、上下方向に伸びる断面四角形の貫通孔２１ａが形成されている。この貫通孔２１ａの開口部は、図３に示すように、ノブ３１を平面視した大きさと略同じ大きさとされている。また、図５に示すように、ノブホルダ２１の前後両側壁の下端部には、板状の押圧板２３がそれぞれ前方向及び後ろ方向に延出されている。
【００２８】
各押圧板２３の下面は、押圧面２３ａとされて、プッシャ５５の上端に対して対向配置され、ノブホルダ２１の揺動時に、プッシャ５５の上端に接して押圧可能とされている。即ち、プッシャ５５は、揺動するノブホルダ２１に押圧されて、スイッチ接点５３をオン作動する。前記押圧板２３は第２押圧部に相当する。
【００２９】
また、図３及び図４に示すように、貫通孔２１ａの左右内側面には、ノブホルダ２１の上下方向全体にわたって摺動溝２４がそれぞれ形成されている。摺動溝２４を形成している３方の内側面（溝内の底面、前後両面）は、図３において、ガイド溝４４ｂの３方の内側面（溝内の底面、前後両面）と略同じ断面形状とされている。即ち、ノブホルダ２１の非揺動時には、摺動溝２４とガイド溝４４ｂのガイド中心とが一致するようにされている。
【００３０】
なお、ガイド中心とは、両溝（摺動溝２４、ガイド溝４４ｂ）がそれぞれ突条部３５（後記する）をガイドした際に、移動する突条部３５の軸心と同軸となる軌跡のことである。
【００３１】
また、図３及び図５に示すように、貫通孔２１ａの前側の内側面には、ノブホルダ２１の上下方向全体にわたって摺動溝２５が形成されている。
また、ノブホルダ２１において、貫通孔２１ａ前後両内側面の下端部には、図５に示すように、係止段部２６がそれぞれ形成されている。
【００３２】
ノブ３１は、ノブホルダ２１の貫通孔２１ａに対して上下方向に摺動自在に内嵌されている。ノブ３１は、図１に示すように、上面側が前後方向において湾曲した略蒲鉾状に形成されている。また、図３及び図４に示すように、ノブ３１において左右両側面の略中央部に、上下方向に延在する被ガイド部としての突条部３５がそれぞれ設けられている。同突条部３５は、摺動溝２４に対して摺動自在に係合されている。また、突条部３５は、ノブホルダ２１の非揺動時に、ノブ３１が下方に押圧されると、ガイド溝４４ｂに対しても摺動自在に係合可能とされている。
【００３３】
前記突条部３５の下端は、図１、及び図４に示すようにノブ３１の下端（係止片３３の下面の位置）と同じとされている。
また、図４に示すように、ノブ３１の右側端部の下面には、第１押圧部としての押圧片３４が下方に向けて突出されている。そして、押圧片３４は、下端部が枠体４１の下端面から突出されており、ノブホルダ２１が非揺動時においては、スイッチ接点５４の上面に当接するように配置されている。即ち、ノブ３１は、押圧や揺動されていない非操作時には、押圧片３４がスイッチ接点５４の上面に当接されることにより支持されている。
【００３４】
また、このノブホルダ２１が非揺動時において、図５に示すように、前記突条部３５の下端は、係止面４４ａの頂部の高さ位置に位置するように配置されている。
【００３５】
さらに、ノブホルダ２１の揺動時には、ノブホルダ２１の揺動に伴いノブ３１の突条部３５の下端が振れて、ガイドリブ４４ｃの係止面４４ａ上に移動し、この揺動時において下方にノブ３１が押圧された際に、突条部３５の下端が係止面４４ａに係止されて、ガイド溝４４ｂ内に係入不能にされている。
【００３６】
即ち、ノブ３１がノブホルダ２１とともに揺動すると、押圧片３４は、係止面４４ａにおいて、図２に示すｘ領域の上方を移動することとなる。このｘ領域は、ガイド部４４のガイドリブ４４ｃの上面にあたる部分である。
【００３７】
前記突条部３５と、ガイド溝４４ｂを含むガイド部４４と、ガイド部４４の上面の係止面４４ａとを備えて、ガイド機構Ｇ１が構成されている。
また、図３及び図５に示すように、ノブ３１において、前側側面の略中央部に、上下方向に延在する突条部３６が形成され、同突条部３６は、摺動溝２５に対して摺動自在に係合されている。
【００３８】
また、ノブ３１の前後両側の下端部には、図５に示すように、それぞれ係止片３３が設けられている。同係止片３３は、ノブホルダ２１の上動時に係止段部２６に係止して、ノブ３１が貫通孔２１ａから離脱しないようにされている。
【００３９】
ノブ３１の上面の略中央部に、操作部３２が設けられている。この操作部３２は、左右方向を長手方向として、上面側が湾曲した蒲鉾状に形成されている。
カバー１１は、図１に示すように、スイッチ装置１を覆うように配置された板状の部材からなる。カバー１１には開口部１１ａが形成され、同開口部１１ａからノブ３１に設けられた操作部３２が突出されている。開口部１１ａは、図３に示す操作部３２を平面視した形状よりも、やや大きい形状とされ、特に、図５に示すように、前後方向に操作部３２よりも大きい形状とされて、ノブ３１の操作部３２の揺動操作及び押し込み操作が可能とされている。
【００４０】
次に、上記の構成のスイッチ装置１の作用について説明する。
まず、スイッチ装置１を押圧操作した場合を説明する。
スイッチ装置１は、ノブ３１及びノブホルダ２１が、押圧や揺動されていない非操作時には図４、図５に示すように摺動溝２４とガイド溝４４ｂのガイド中心とが一致する状態となっている。また、このとき、ノブ３１は、押圧片３４がスイッチ接点５４の薄肉部５４ａの弾性力により上方に付勢されて、係止片３３がノブホルダ２１の係止段部２６に係止した状態にある。
【００４１】
この状態でスイッチ装置１に対して、図６に示すように、図中矢印方向（下方向）にスイッチ接点５４の薄肉部５４ａに弾性力に抗して押込み操作すると、スイッチ装置１のノブ３１のみが下方向に移動する。このとき、ノブ３１の被ガイド部である両突条部３５がそれぞれノブホルダ２１の各摺動溝２４に、突条部３６が摺動溝２５にガイドされて、ノブ３１がノブホルダ２１に対してスライド移動する。
【００４２】
また、スイッチ接点５４が、押圧片３４に上方向から押圧されるため、スイッチ接点５４の薄肉部５４ａが撓み、可動部５４ｂが下方に押し込まれる。すると、図４に示す、可動接点５４ｃが、固定接点５４ｄに接続される。この結果、スイッチ接点５４がスイッチング作動し、オン状態とされる。
【００４３】
ここで、図６に示すように、ノブ３１が下方向に移動した距離だけ、ノブ３１の各突条部３５の下端部が、各ガイド部４４のガイド溝４４ｂに挿入される。このとき、各突条部３５の側面は、各ガイド部４４のガイド溝４４ｂの内周面に沿って摺動する。そのため、僅かな移動量であっても、各突条部３５がそれぞれガイド溝４４ｂに挿入されると、各突条部３５の前後両側の側面は、ガイド溝４４ｂの前後両側の内側面に、前後方向の動きを拘束されることとなる。従って、ノブ３１が押込み方向に移動すると、ノブホルダ２１の揺動が阻止される。
【００４４】
この結果、ノブホルダ２１には押圧力が加わらないため、停止したままである。このように、ノブ３１は左右両側で、前後方向の揺動を阻止されるため、ノブホルダ２１の揺動は確実に防止される。
【００４５】
そして、スイッチ装置１に対する押込み操作を解除すると、ノブ３１はスイッチ接点５４の薄肉部５４ａの弾性力により、図５に示すように係止片３３が係止段部２６に係止する位置に復帰する。それとともに、スイッチ接点５３はオフ状態となる。
【００４６】
次に、スイッチ装置１を揺動操作した場合を説明する。
非操作時のスイッチ装置１に対して、図７に示すように、図中矢印方向（後ろ方向）に揺動操作すると、ノブ３１を保持した状態のノブホルダ２１が軸部２２を中心として回動する。そして、ノブホルダ２１は左方向に回動し、後側が下がるように傾斜する。
【００４７】
すると、ノブホルダ２１の後側の押圧板２３が、押圧面２３ａにてプッシャ５５を押圧する。押圧されたプッシャ５５は薄肉部５３ａの弾性力に抗して後側のスイッチ接点５３を押圧する。すると、可動部５３ｂが下方に押し込まれ、可動接点５３ｃが、固定接点５３ｄに接続される。この結果、スイッチ接点５３がスイッチング作動し、オン状態とされる。
【００４８】
このとき、図７に示すように、ノブホルダ２１の揺動にともない、突条部３５が揺動する。すると、突条部３５の下面は、ガイド部４４の係止面４４ａにおいて、図２に示すｘ領域の上方に移動する。このとき、ガイド部４４の係止面４４ａは、ノブホルダ２１の揺動にともなう突条部３５の下面の移動軌跡に対応して形成されているため、ノブホルダ２１の揺動が許容されるとともに、ノブホルダ２１の揺動が僅かであっても、突条部３５の下面は係止面４４ａのｘ領域の上方に移動する。
【００４９】
すると、この状態で突条部３５が押込み方向（下方向）に移動しようとしても、突条部３５が係止面４４ａのｘ領域の部分に係止（阻止）されて、移動することができない。従って、ノブホルダ２１が揺動するとき、ノブ３１の押込み方向の移動が阻止される。
【００５０】
そして、スイッチ装置１に対する揺動操作を解除すると、押圧されたスイッチ接点５３の薄肉部５３ａの弾性力によりノブ３１を保持した状態のノブホルダ２１は、軸部２２を中心として揺動操作された方向とは逆方向に揺動する。その結果、スイッチ装置１は元の非操作時に戻され、スイッチ接点５４はオフ状態とされる。
【００５１】
なお、揺動操作した場合、ノブ３１の揺動にともない押圧片３４も図７に示すようにノブ３１と一体に揺動するが、この押圧片３４の揺動時における押し込み方向への移動量は、前述した押圧操作される場合と異なり、下方への移動量が少ないため、スイッチ接点５４がオン作動することはない。
【００５２】
なお、スイッチ装置１の操作部３２を、ノブホルダ２１の前側が下がるように揺動操作しても、上述した内容と同様の作用を示すため、その説明は省略する。
仮に、スイッチ装置１が、激しい振動を受ける場所に設置されており、操作に影響を受ける程の外力を受ける場合について考察する。この場合、外力を受けることでノブホルダ２１が揺動すると、ノブ３１がそれにともない揺動する。そのため、突条部３５の下面は、ガイド部４４の係止面４４ａの上方に移動することとなり、ノブ３１の押込み方向の移動は阻止される。従って、激しい外力が加わることにより、スイッチ装置１が誤って押込み操作され、スイッチ接点５４がオン状態とされることは防止される。
【００５３】
従って、上記実施形態のスイッチ装置１によれば、以下のような効果を得ることができる。
（１）  本実施形態のスイッチ装置１は、ガイド機構Ｇ１を備えており、このガイド機構Ｇ１は、ノブ３１が押込み方向に移動するときは該ノブ３１を押込み方向にガイドするとともにノブホルダ２１の揺動を阻止する。また、ノブホルダ２１が揺動するときはノブ３１の押込み方向の移動を阻止する。従って、簡易な構成で、複数のスイッチ接点が同時に動作されることを防止することができる。
【００５４】
（２）  また、本実施形態においては、ガイド機構Ｇ１は、ノブ３１に設けられた被ガイド部である突条部３５と、枠体４１に設けられたガイド部４４と、ガイド部４４の上面の係止面４４ａとを備える。このガイド部４４は、突条部３５の押込み方向の移動をガイドするガイド溝４４ｂを含む。また、係止面４４ａはノブホルダ２１が揺動すると、ノブ３１の押込み方向の移動を阻止する。従って、簡易な構成で、上記（１）の効果を得ることが可能となる。
【００５５】
（３）  更には、本実施形態においては、ガイド部４４の係止面４４ａは、ノブホルダ２１の揺動にともなう突条部３５の、ガイド部４４側の面である下面の移動軌跡に対応して形成されている。従って、ノブホルダ２１の揺動が僅かであっても、ノブホルダ２１の揺動を許容するとともに、ノブ３１の押込み方向への移動を阻止することができる。
【００５６】
（４）  また、本実施形態においては、ノブ３１は、突条部３５がノブホルダ２１に設けられた摺動溝２４にガイドされてノブホルダ２１に対してスライド移動可能とされるとともに、突条部３５がガイド部４４のガイド溝４４ｂにガイドされることで、押込み方向に移動可能とされている。従って、両溝にてガイドされる共通の突条部３５を設けるだけで、押圧操作をする際のガイド機構Ｇ１として簡易な構成とすることができる。
【００５７】
また、摺動溝２４と、ガイド溝４４ｂのガイド中心を一致させるという対応関係を設定するだけで、容易にノブ３１を押圧操作することが可能となる。
（５）  更には、本実施形態においては、ガイド機構Ｇ１は複数設けられている。従って、上記（１）乃至（４）に記載した効果を確実に得ることができる。
【００５８】
（第２実施形態）
次に、本発明のスイッチ装置の第２実施形態を、図８乃至図１１を参照して説明する。図８は、第２実施形態のスイッチ装置の平面図であり、図９は図８のＣ−Ｃ断面図、図１０は図８のＤ−Ｄ断面図である。また、図１１は、第２実施形態のノブ及び枠体の分解斜視図である。
【００５９】
なお、第２実施形態の説明では、上述した第１実施形態と同じ構成である部分については、同一符号を付しその説明を省略し、異なるところを説明する。
第２実施形態においては、上記第１実施形態のガイド機構Ｇ１の代わりに、図８に示すように、ノブ３１の左右両側に設けられた被ガイド部としての突部６２と、枠体４１に設けられたガイド部６４と、ガイド部６４に設けられた係止部としての係止面６４ａとを備えるガイド機構Ｇ２が設けられている。
【００６０】
突条部６１は、前後両側の下端部に、図１１に示すように、それぞれ突部６２が設けられている。同突部６２は、ノブ３１の上動時に、ノブ３１の係止片３３がノブホルダ２１の係止段部２６に係止した状態で、ノブホルダ２１の下面に係止するようにされている（図９参照）。そして、各突部６２の左右両側の面は、図９に示すように、枠体４１の内周面に当接する。そのため、ノブ３１が押込み方向に移動するとき、この面が枠体４１の内周面に摺接する。
【００６１】
ガイド部６４は、枠体４１の左右両側壁の内側面の略中央部に設けられている。そして、一対のガイドリブ６４ｃは枠体４１の左右両側壁の中央部内側面において、前後に互いに並設され、上下方向に延びている。この両ガイドリブ６４ｃ間は、前記突部６２をガイドするガイド溝６４ｂとされている。また、それぞれのガイドリブ６４ｃの上面は、係止面６４ａとされている。係止面６４ａは、係止部に相当する。
【００６２】
この係止面６４ａは、図１０に示すように、ノブホルダ２１が揺動するときに、ノブホルダ２１の揺動にともない移動するノブ３１の突部６２の下面の移動軌跡に対応して形成されている。
【００６３】
上記の構成において、操作部３２を押込み操作すると、ノブ３１がノブホルダ２１に対して押込み方向（下方向）にスライド移動する。そして、ノブ３１に設けられた押圧片３４が、スイッチ接点５４を押圧し、スイッチ接点５４がスイッチング作動する。
【００６４】
ここで、ノブ３１の左右両側の突条部６１において、突部６２の部分が、ガイドリブ６４ｃ，６４ｃ間のガイド溝６４ｂに挿入されガイドされて、押込み方向（下方向）に移動する。すると、ノブ３１が下方に移動した距離だけ、突部６２が、ガイド溝６４ｂに挿入される。このとき、各突部６２は、前後両側のガイドリブ６４ｃに沿って摺動する。そのため、僅かな移動量であっても、各突条部６１の前後両側の側面が、ガイド溝６４ｂに、前後両側の動きを拘束されることとなる。従って、ノブ３１が押込み方向に移動すると、ノブホルダ２１の揺動が阻止される。
【００６５】
そして、スイッチ装置１に対する押込み操作を解除すると、第１実施形態と同様に、ノブ３１はスイッチ接点５４の薄肉部５４ａの弾性力により、元の位置に復帰する。それとともに、スイッチ接点５３がオフ状態とされる。
【００６６】
また、操作部３２を前後方向に揺動操作すると、ノブ３１を保持した状態のノブホルダ２１が、軸部２２を揺動中心として揺動する。そして、傾斜した側の、ノブホルダ２１に設けられた押圧板２３の押圧面２３ａが、プッシャ５５を介してスイッチ接点５３を押圧し、スイッチ接点５３をスイッチング作動させることにより、オン状態とする。
【００６７】
このとき、ノブホルダ２１の揺動にともない、突条部６１が揺動する。すると、突条部６１の突部６２は、ガイドリブ６４ｃの上面の係止面６４ａの上方に移動する。このとき、ガイド部６４の係止面６４ａは、ノブホルダ２１の揺動にともなう突部６２の下面の移動軌跡に対応して形成されているため、ノブホルダ２１の揺動は許容されるとともに、ノブホルダ２１の揺動が僅かであっても、突部６２の下面は係止面６４ａの上方に移動する。
【００６８】
すると、この状態で突部６２が押込み方向（下方向）に移動しようとしても、突部６２が係止面６４ａに係止（阻止）されて、移動することができない。従って、ノブホルダ２１が揺動するとき、ノブ３１の押込み方向の移動が阻止される。
【００６９】
そして、スイッチ装置１に対する揺動操作を解除すると、第１実施形態と同様に、押圧されたスイッチ接点５３の薄肉部５３ａの弾性力により、ノブホルダ２１は元の位置に戻される。そして、スイッチ接点５３はオフ状態とされる。
【００７０】
従って、上記第２実施形態のスイッチ装置によれば、第１実施形態の（１）乃至（５）の作用効果に加え、以下のような効果を得ることができる。
（１）  第２実施形態では、ガイド機構Ｇ２は、突部６２と、一対のガイドリブ６４ｃ，６４ｃと、各ガイドリブ６３ｃの上面の係止部である係止面６４ａを備えて構成されている。
【００７１】
従って、ガイド機構Ｇ２において、枠体４１に設けるガイド部を、簡易な構成とすることができる。
なお、上記各実施形態は以下のような別例に変更して具体化してもよい。
【００７２】
・  上記各実施形態では、スイッチ装置１を構成する基部は、枠体４１としたが、ノブホルダ２１を揺動可能に保持することができ、ガイド機構Ｇ１（Ｇ２）のガイド部４４（６４）を備えていれば、基部はどのような形状に構成してもよい。例えば、基部を、ノブホルダ２１を揺動可能に支持する支持部材と、ガイド部４４（６４）とを有する固定部材の別部材でそれぞれ構成してもよい。
【００７３】
・  また、ガイド機構Ｇ１（Ｇ２）は２箇所に設けられているものとしたが、設けるガイド機構Ｇ１（Ｇ２）の数はこれに何ら限定されない。例えば、１箇所のみに設けてもよい。また、３箇所以上に設けてもよい。
【００７４】
・  更には、ガイド部４４（６４）はガイド溝４４ｂ（６４ｂ）を含み、被ガイド部は突条部３５または突部６２であるガイド機構Ｇ１（Ｇ２）としたが、ノブ側にガイド溝が設けられ、枠体に突条部が設けられてもよい。
【００７５】
例えば、図１２に示すように、上記各実施携帯のガイド機構Ｇ１（Ｇ２）の部分に、ガイド部として一対の板部材７４を、図中斜線部分の面にて枠体４１に形成し、被ガイド部としてのガイド溝７１をノブ３１の右側面に対して上下方向に延びるように設けて、ガイド機構Ｇ３としてもよい。この場合、板部材７４の上面は、ノブホルダ２１の揺動にともなうノブ３１の下面の揺動軌跡に対応した形状とし、係止部としての係止面７４ａとする。
【００７６】
・  また、図１〜図１１の各実施形態ではガイド溝４４ｂ（６４ｂ）及び摺動溝２４は同じガイド中心であり、ともに被ガイド部である突条部３５をガイドするものとしたが、ガイド溝４４ｂ（６４ｂ）と摺動溝２４は、同じガイド中心ではなく、異なる部材をガイドするものであってもよい。
【００７７】
具体的には、図１３に示すように、上記各実施形態のガイド機構Ｇ１（Ｇ２）の部分に、ノブ３１の下端面から下方に、被ガイド部として突部８２を形成し、ノブホルダ２１の揺動にともなう突部８２の揺動軌跡に対応した形状の係止部としての係止面８４ａを備えたガイド部８４を設け、ガイド機構Ｇ４としてもよい。そして、ガイド部８４のガイド溝８４ｂとはガイド中心をずらして、被摺動部８１，８１を形成するとともに、図示しないノブホルダにこの被摺動部８１，８１をガイドする摺動溝を形成してもよい。
【００７８】
・  更には、ガイド部４４（６４）の係止部を係止面４４ａ（６４ａ）とし、この係止面４４ａ（６４ａ）をノブホルダ２１の揺動にともなう押圧片３４の下側面の移動軌跡に対応して形成されているものとしたが、これに限定されない。即ち、ノブホルダ２１が揺動したときに、ノブ３１の押込み方向の移動を阻止するのであれば、どのような形状としてもよい。
【００７９】
・  また、ガイド機構Ｇ１（Ｇ２）は、ノブ３１に設けられた突条部３５（または突部６２）と、ガイド溝４４ｂ（６４ｂ）を含むガイド部４４（６４）と、係止面４４ａ（６４ａ）とにより構成したが、ガイド機構はこの構成に何ら限定されない。即ち、ノブ３１が押込み方向に移動するときは、ノブホルダ２１の揺動を阻止し、ノブホルダ２１が揺動するときはノブ３１の押込み方向の移動を阻止することができれば、どのような形態であってもよい。例えば、ガイド部は、ガイド溝と係止部とが、別部材により構成されていてもよい。
【００８０】
・  更には、ノブホルダ２１が軸部２２によって、枠体４１の支持部４２の軸受孔４２ａに軸支されるものとしたが、これに何ら限定されない。即ち、ノブホルダ２１が枠体４１に揺動可能に支持されていればよく、例えば、ノブホルダ２１を、枠体４１により、４方向に揺動可能に支持してもよい。
【００８１】
【発明の効果】
以上詳述したように、請求項１乃至請求項５に記載の発明によれば、簡易な構成で、複数のスイッチ接点が同時に動作されることを防止することができる。
【図面の簡単な説明】
【図１】第１実施形態におけるスイッチ装置の分解斜視図。
【図２】ガイド部の要部斜視図。
【図３】スイッチ装置１の平面図。
【図４】同じく図３のＡ−Ａ断面図。
【図５】同じく図３のＢ―Ｂ断面図。
【図６】スイッチ装置の作用を説明する図３のＢ―Ｂ断面図。
【図７】スイッチ装置の作用を説明する図３のＢ―Ｂ断面図。
【図８】第２実施形態のスイッチ装置の平面図。
【図９】同じく図９のＣ―Ｃ断面図。
【図１０】同じく図９のＤ―Ｄ断面図。
【図１１】第２実施形態のノブ及び枠体の斜視図。
【図１２】別例のノブ及びガイド部の斜視図。
【図１３】別例のノブ及びガイド部の斜視図。
【符号の説明】
１…スイッチ装置
２１…ノブホルダ
３１…ノブ
３５…突条部（被ガイド部）
４１…枠体（基部）
４４…ガイド部
４４ａ…係止面（係止部）
４４ｂ…ガイド溝
４４ｃ…ガイドリブ
５３…スイッチ接点（第２スイッチ接点）
５４…スイッチ接点（第１スイッチ接点）
６２…突部（被ガイド部）
Ｇ１…ガイド機構
【図１】
2004179047.tif 000003
【図２】
2004179047.tif 000004
【図３】
2004179047.tif 000005
【図４】
2004179047.tif 000006
【図５】
2004179047.tif 000007
【図６】
2004179047.tif 000008
【図７】
2004179047.tif 000009
【図８】
2004179047.tif 000010
【図９】
2004179047.tif 000011
【図１０】
2004179047.tif 000012
【図１１】
2004179047.tif 000013
【図１２】
2004179047.tif 000014
【図１３】
2004179047.tif 000015